(57)【要約】【課題】発光用液を使いつつ、これまでにない趣向の演出効果を得られる発光演出器１を提供し、利用者の満足度を向上させる。【解決手段】蛍光液と酸化液を収容する透明の収容部４０と、該収容部４０の周囲を被覆する模様演出カバー２とを備え、前記模様演出カバー２は、光を透過する孔部２２を有して該孔部２２により複数のハート模様部２３、ダイヤ模様部２４、および花模様部２５が形成され、前記収容部４０は、複数の領域４３ａ〜４３ｄに区分けする仕切り板４４が設けられている発光演出器１を提供する。【選択図】図４
2010027541.tif 000002
【特許請求の範囲】
【請求項１】
発光用液を収容する透明の収容部と、
該収容部の周囲を被覆する被覆部とを備え、
前記被覆部は、光を透過する透過部を有して該透過部により複数の模様が形成され、
前記収容部は、複数の領域に区分けする仕切り部が設けられている
発光演出器。
【請求項２】
注がれる発光用液を受ける受け口と、
該受け口に注がれた発光用液を前記各領域に分配供給する分配部とを備えた
請求項１記載の発光演出器。
【請求項３】
前記収容部の仕切り部は、前記収容部の平面視中央の縦軸と、該縦軸を中心に螺旋階段状に配置されて該縦軸と外周部とを接続する螺旋仕切り部とで構成した
請求項１または２記載の発光演出器。
【請求項４】
前記螺旋仕切り部を、前記透過部による複数の模様の境目または境目近傍を通過する配置とした
請求項３記載の発光演出器。
【請求項５】
請求項１から４のいずれか１つに記載の発光演出器を用いて、
異なる色に発光する蛍光液を前記収容部の前記仕切り部の各領域にそれぞれ半分程度ずつ入れておき、
前記受け口から１種類の酸化液を注ぐ
発光演出方法。
【発明の詳細な説明】
【技術分野】
【０００１】
この発明は、例えば結婚披露宴に代表されるパーティーの演出で利用されるような発光演出器に関し、特に結婚披露宴のキャンドルサービスに代わる演出として利用されるような発光演出器に関する。
【背景技術】
【０００２】
従来、結婚披露宴では、参加者に楽しんでもらう演出としてキャンドルサービスが利用されている。最近では、このキャンドルサービスだけでなく、発光用液を利用した演出、シャボン玉を利用した演出、風船を利用した演出など、様々な演出が提案され、利用されている。中でも発光用液を利用した演出は、需要が増えてきている。
【０００３】
このような発光用液を利用する演出用の装置として、発光装飾装置が提案されている（特許文献１参照）。この特許文献１は、２液性蛍光液体を、中空状の透光性素材で形成された造形体に流動させるものである。これにより、花弁等を模した蛍光液体の流動を行い、動的でかつ幻想的な美しさを醸し出すことができるとされている。
【０００４】
しかし、発光装飾装置は、１色の蛍光液体による演出に留まり、それ以上の効果は得られなかった。そして、様々な演出を好む利用者は、さらに多様な演出を望んでいた。
【特許文献１】特開平９−２３１８０１号公報
【発明の開示】
【発明が解決しようとする課題】
【０００５】
この発明は、上述の問題に鑑み、発光用液を使いつつ、これまでにない趣向の演出効果を得られる発光演出器を提供し、利用者の満足度を向上させることを目的とする。
【課題を解決するための手段】
【０００６】
この発明は、発光用液を収容する透明の収容部と、該収容部の周囲を被覆する被覆部とを備え、前記被覆部は、光を透過する透過部を有して該透過部により複数の模様が形成され、前記収容部は、複数の領域に区分けする仕切り部が設けられている発光演出器であることを特徴とする。
【０００７】
この発明の態様として、注がれる発光用液を受ける受け口と、該受け口に注がれた発光用液を前記各領域に分配供給する分配部とを備えることができる。
【０００８】
またこの発明の態様として、前記収容部の仕切り部は、前記収容部の平面視中央の縦軸と、該縦軸を中心に螺旋階段状に配置されて該縦軸と外周部とを接続する螺旋仕切り部とで構成することができる。
【０００９】
またこの発明の態様として、前記螺旋仕切り部を、前記透過部による複数の模様の境目または境目近傍を通過する配置とすることができる。
【００１０】
またこの発明は、前記発光演出器を用いて、異なる色に発光する蛍光液を前記収容部の前記仕切り部の各領域にそれぞれ半分程度ずつ入れておき、前記受け口から１種類の酸化液を注ぐ発光演出方法とすることができる。
【発明の効果】
【００１１】
この発明により、発光用液を使いつつ、これまでにない趣向の演出効果を得られる発光演出器を提供し、利用者の満足度を向上させることができる。
【発明を実施するための最良の形態】
【００１２】
この発明の一実施形態を以下図面と共に説明する。  
図１は、発光演出器１の正面図を示し、図２は発光演出器１の右側面図を示し、図３は、発光演出器１の模様演出カバー２と発光用液容器３とを分離した状態の正面図を示し、図４は、発光用液容器３を受け部３０と収容部４０とに分離した状態の発光演出器１の斜視図を示し、図５は、発光用液容器３の仕切り板４４を透視した発光演出器１の正面図を示す。なお、発光演出器１の左側面は、右側面と同一であり、発光演出器１の背面は、正面と同一である。
【００１３】
発光演出器１は、表面を磨き上げた銀色の金属板により内部中空の四角柱状に形成された模様演出カバー２と、この内側に収納された円筒形の受け部３０により構成されている。この発光演出器１は、結婚披露宴のゲストテーブルの中央に載置して利用され、ゲストテーブル上に並ぶワイングラスなどのグラス類の２倍程度の高さに形成されている。
【００１４】
模様演出カバー２の側方各面（正面、右側面、左側面、および背面）には、発光演出窓２１が上下方向に複数配置されている。この実施例では、発光演出窓２１が上から３個配置され、少し間を空けて、さらに発光演出窓２１が４個配置されている。
【００１５】
発光演出窓２１は、横長長方形に形成され、ハート模様部２３、ダイヤ模様部２４、及び花模様部２５が適宜配置されている。これらの模様部２３〜２５は、異種の模様部２３〜２５が発光演出窓２１の内側に左右２つ並べて配置されている。また、各発光演出窓２１のハート模様部２３、およびダイヤ模様部２４は、上から下へ交互に配置されており、そのうち一箇所のハート模様部２３またはダイヤ模様部２４が花模様部２５に置換されている。
【００１６】
発光演出窓２１内のハート模様部２３、ダイヤ模様部２４、及び花模様部２５は、模様演出カバー２の材料である金属板に形成された孔によって形作られている。すなわち、ハート模様部２３、ダイヤ模様部２４、及び花模様部２５の各模様を表す部分に金属板が残され、その周囲が発光演出窓２１として打ち抜かれて模様を形成している。このように、金属板が残っている各模様部２３〜２５と発光演出窓２１の間となる孔部２２が、後に説明する蛍光色の透過部分となる。
【００１７】
この模様演出カバー２は、発光演出窓２１、ハート模様部２３、ダイヤ模様部２４、及び花模様部２５が設けられた平らな金属板を屈曲させて四角柱状に形成されている。
【００１８】
模様演出カバー２の中央高さ付近に設けられた発光演出窓２１のない板状部分には、透明のクリスタル５１が複数横並びに配置されている。このクリスタル５１は、ダイヤモンドのブリリアントカットにカットされたクリスタルガラスであり、宝石でクラウンと呼ばれる上部が正面を向くように貼り付けられている。
【００１９】
模様演出カバー２の内側には、発光用液容器３が収納されている。このため、模様演出カバー２は、テーブルスタンド用笠として機能する。この発光用液容器３は、横幅が発光演出窓２１の横幅よりも大きく形成されている。これにより、発光用液容器３の中で蛍光用液が発光した際に、発光演出窓２１から隙間無く光が照射されるようにしている。
【００２０】
発光用液容器３は、図３に示すように上部の受け部３０とその下部の収容部４０とで構成されている。
【００２１】
受け部３０は、すり鉢状に形成された傾斜面３１と中央の貫通孔３２を有する漏斗型に形成されている。傾斜面３１の中央下部には下方へ突出して前記貫通孔３２が貫通している筒状の連結凸部３３が設けられている。この連結凸の下端には、切り欠かれた分配用液通過部３４が４箇所に均等配置されている。
【００２２】
収容部４０は、平面視中央に設けられた上下方向に長い縦軸４５と、円筒形の外周４６と、これらの縦軸４５および外周４６の間を複数の領域に仕切って連結する仕切り板４４とで構成されている。この収容部４０を構成する仕切り板４４、縦軸４５、および外周４６は、いずれもプラスチックなどの透明素材によって構成されている。なお、少なくとも外周４６を透明とすれば蛍光色の発光を透過できるが、仕切り板４４を透明とすることがさらに好ましく、縦軸４５も透明とすることがさらに好ましい。
【００２３】
仕切り板４４は、縦軸４５と外周４６を接続するように４枚が均等配置されている。従って、収容部４０の横断面は、縦軸４５を中心に仕切り板４４が放射状に設けられ、その外側端部に外周４６が連結されている形状となる。４枚の仕切り板４４は、いずれも同一形状であり、上下方向に傾斜配置された傾斜部４４ａと、水平配置された水平部４４ｂとが交互に設けられ、これによって縦軸４５の周りに螺旋階段状に形成されている。
【００２４】
傾斜部４４ａは、模様演出カバー２の発光演出窓２１の左右方向中央に位置するように配置されている。これにより、左右に配置された各模様部２３〜２５の間に傾斜部４４ａが位置する。
【００２５】
水平部４４ｂは、模様演出カバー２において上下に連続配置された各発光演出窓２１の間に位置するように配置されている。これにより、水平部４４ｂは、模様演出カバー２の外から見えないようになっている。
【００２６】
外周４６は、円筒形で上面が開放され、底面が閉鎖されたコップ状に形成されている。この外周４６の内側は、前記４つの仕切り板４４により４つの領域４３ａ〜４３ｄに仕切られている。この４つの領域４３ａ〜４３ｄは、仕切り板４４により、縦軸４５の周囲を螺旋状に回るように配置されている。
【００２７】
縦軸４５の上端付近には、受け部３０の連結凸部３３を挿着する連結凹部４１が設けられている。連結凹部４１の側壁部には、連結凸部３３の分配用液通過部３４に対応して連通する４つの分配用液通過部４２が設けられている。この４つの分配用液通過部４２は、領域４３ａ〜４３ｄに１つずつ対応して設けられている。
【００２８】
以上の構成の発光演出器１は、たとえば結婚披露宴で次のように利用される。  
まず、発光用液容器３の収容部４０の各領域４３ａ〜４３ｄに蛍光液を半分程度の高さ（模様演出カバー２のクリスタル５１の位置程度）にまで収容しておく。このとき、各領域４３ａ〜４３ｄには、異なる色に発光する蛍光液を入れるようにし、例えば２色を交互に入れる、あるいは４色異なる色を入れるようにする。ここで、蛍光液は、酸化液と混合することで蛍光色に発光する発光用液であり、例えばシュウ酸エステル成分を有する蛍光液を利用する。この蛍光液は、黄色や青、緑、赤など、発光する色の異なる様々な種類がある
このように蛍光液を収容した収容部４０の上部に受け部３０を連結して発光用液容器３とし、ゲストテーブルの中央にセットする。そして、発光用液容器３に模様演出カバー２を被せて、発光演出器１を完成させておく。この状態では発光しないため、発光演出器１は、模様演出カバー２の表面に施されている各模様部２３〜２５によりオブジェとして機能する。なお、発光演出器１の周囲に花などを設置して美しさを増しても良い。
【００２９】
結婚披露宴が開会した後、お色直し後の入場シーンなどで、新郎新婦は、適宜の液体注入器により、酸化液を発光演出器１の受け部３０に注入していく。受け部３０に注入された酸化液は、傾斜面３１から貫通孔３２へ進み、分配用液通過部３４で分配されて、分配用液通過部４２を通じて収容部４０の各領域４３ａ〜４３ｄに均等に注入されていく。各領域４３ａ〜４３ｄに注入された酸化液は、仕切り板４４を階段状に流下し、既に収容されている蛍光液に接触する。
【００３０】
蛍光液に酸化液が接触すると、化学反応が生じて蛍光色の発光が開始される。そして、収容部４０の各領域４３ａ〜４３ｄが酸化液で満杯近くなると、新郎新婦は、次のゲストテーブルへ移動して、同様に酸化液の注入を行う。
【００３１】
このようにして、ゲストテーブルに設置された各発光演出器１は、新郎新婦に注入された酸化液によって蛍光色に発光する。そして、当初は蛍光液の上面部分が酸化液と接触して発光し、時間が経過するにつれて蛍光液と酸化液の混合が進み、収容部４０内の全体が発光するようになる。
【００３２】
このとき、各領域４３ａ〜４３ｄには、異なる色の蛍光液を収容しているため、異なる色に発光させることができる。そして、仕切り板４４が模様演出カバー２の各模様部２３〜２５に対応して配置されているため、図６の説明図に示すように、各模様部２３〜２５について異なる色で発光させることができる。なお、図６では、発光部分をハッチングで示しており、ハッチングの種類の違いが発光色の違いを示している。この例は、４つの領域４３ａ〜４３ｄに対して２色の蛍光液を交互に収納しておいた例であり、２色に発光している。
【００３３】
また、この発光により、模様演出カバー２の発光演出窓２１内が発光して各模様部２３〜２５が明瞭に浮かび上がる。そして、会場の照明を少し暗くしておくことで、蛍光色の発光により模様部２３〜２５の影がゲストテーブル上にも映し出され、幻想的な演出を行うことができる。
【００３４】
以上のようにして、従来にない画期的な演出を行うことができる。予め異なる色に発光する蛍光液をセッティングしておくことで、新郎新婦は、１種類の酸化液を注入するだけで複数色に発光させることができ、スムーズに式を進行させることができる。
【００３５】
また、複数色に発光して種々の模様を浮かび上がらせるため、参列者に対して従来にない驚きと感動を与えることができる。
【００３６】
なお、模様演出カバー２に施す模様部２３〜２５の大きさや形状は、これに限らず適宜の形状および大きさに形成することができる。これにより、様々な模様による演出を実現することができる。
【００３７】
また、模様演出カバー２の形状そのものも、四角柱に限らず、円柱にするなど、適宜の形状にすることができる。これにより、様々な形状による演出を実現することができる。
【００３８】
この発明の構成と、上述の実施形態との対応において、
この発明の被覆部は、実施形態の模様演出カバー２に対応し、
以下同様に、
透過部は、孔部２２に対応し、
複数の模様の境目は、左右に配置された各ハート模様部２３、ダイヤ模様部２４、および花模様部２５の間に対応し、
受け口は、傾斜面３１に対応し、
分配部は、分配用液通過部３４および分配用液通過部４２に対応し、
仕切り部および螺旋仕切り部は、仕切り板４４に対応し、
発光用液は、蛍光液および酸化液に対応するが、
この発明は、上述の実施形態の構成のみに限定されるものではなく、多くの実施の形態を得ることができる。
【図面の簡単な説明】
【００３９】
【図１】発光演出器の正面図。
【図２】発光演出器の右側面図。
【図３】模様演出カバーと発光用液容器の正面図。
【図４】発光演出器の斜視図。
【図５】発光用液容器の仕切り板を透視した発光演出器の正面図。
【図６】発光演出器の発光状態を示す説明図。
【符号の説明】
【００４０】
１…発光演出器、２…模様演出カバー、２２…孔部、２３…各ハート模様部、２４…ダイヤ模様部、２５…花模様部、３１…傾斜面、３４…分配用液通過部、４０…収容部、４２…分配用液通過部、４３ａ〜４３ｄ…領域、４４…仕切り板、４５…縦軸
【図１】
2010027541.tif 000003
【図２】
2010027541.tif 000004
【図３】
2010027541.tif 000005
【図４】
2010027541.tif 000006
【図５】
2010027541.tif 000007
【図６】
2010027541.tif 000008